(57)【要約】【課題】（イ）投入口の条件として、回転筒の前内部に投入口地上高（約１ｍ以下）の投入口を含むこと。（ロ）排出口の条件として、回転筒の後内部に排出口地上高（約１．２ｍ以上）の排出口を含むこと。（ハ）回転中心に排出口を設けず、回転中心より高い位置に排出口を可能し、ゴミ収集車の高さの可変位置を可能とする回転筒ゴミ貯留機を提供する。【解決手段】回転筒の螺旋状羽根の内面に接して後固定筒を設け、後固定筒の内側後部に排出口を設け、後固定筒の内側上部に切欠いた上部開口部を設け、上部開口部より排出口へ降下し連通する後傾斜樋を設け、回転中心より高い位置に排出口を可能にすることを特徴とする。【選択図】  図２
2005200209.tif 000002
【特許請求の範囲】
【請求項１】
横置き円筒状の回転筒（１）の内面に螺旋状羽根（２）を設け、回転筒（１）の前部に接した前固定台（３）に投入口（４）及び投入口蓋（５）を設け、回転筒（１）の後部に接した後固定台（６）に排出口（７）及び排出口蓋（８）を設け、
前固定台（３）の後部に固定した前固定筒（９）を回転筒（１）の内部に挿入し、前固定筒（９）に後端壁（１０）を設け、螺旋状羽根（２）の内面に接して前固定筒（９）を設け、
前固定筒（９）の内側前部に投入口（４）を設け、前固定筒（９）の内側下部に切欠いた下部開口部（１１）を設け、投入口（４）より下部開口部（１１）へ降下し連通する前傾斜樋（１２）を設け、
後固定台（６）の前部に固定した後固定筒（１３）を回転筒（１）の内部に挿入し、後固定筒（１３）に前端壁（１４）を設け、螺旋状羽根（２）の内面に接して後固定筒（１３）を設け、
後固定筒（１３）の内側後部に排出口（７）を設け、後固定筒（１３）の内側上部に切欠いた上部開口部（１５）を設け、上部開口部（１５）より排出口（７）へ降下し連通する後傾斜樋（１６）を設けるように構成したことを特徴とした回転筒ゴミ貯留機。
【発明の詳細な説明】
【技術分野】
【０００１】  ゴミ収集車の高さの可変位置を可能とする回転筒ゴミ貯留機に関するものである。
【背景技術】
【０００２】  従来の回転筒ゴミ貯留機では，前部の投入口へゴミを入れ，後部の排出口からゴミを出す間に回転筒を回転させる。投入口を前部の大径の回転筒に設け、後部に排出口に排出口蓋を閉鎖する。
排出口の円径を小さくするため，後部に截頭円垂筒の形状を設ける。截頭円垂筒は大径から小径へ径違同心円筒を形成する。円筒より同径の截頭円垂筒を連続的にした回転筒にする。従来の回転筒ゴミ貯留機では，ゴミ投入者が前側の投入口を開けて，貯留機内にゴミを投入し貯留する。ゴミ収集車を定期的に配送すると，回転筒ゴミ貯留機の後部の排出口からゴミを降下し，ゴミ収集車の収集口へ貯留される。
ゴミ収集車の車高は高い基準に設けられており、排出口は排出口地上高約１．７ｍ以上にある。排出口の中心に回転軸を通常地上へ水平にし、水平な回転筒を長くし、直径をできるだけ小さくし、しかも回転筒ゴミ貯留機を高い位置にしている。
地上排出口高さ約１．７ｍ以上の高さの回転軸に対して前部の投入口は高くなる。
したがって，人力で投入口へゴミを投入するためには，投入口地上高約１ｍ以下に必要になり、ゴミ投入用階段やステップ等の段差を設けている。段差を地上高より高くして配設して，ゴミ投入者が段差に立って始めて投入を可能にしていた。
しかし実際には段差への便益が良くないので，ゴミ投入者はゴミを地上直接投入にするように要望している。
【発明の開示】
【発明が解決しようとする課題】
【０００３】  最近になって身体障害者への配慮の観点から，住宅建設の必須条件としてバリアフリー（搬送路面の段差の排除）の考え方が義務付けられるようになった。
住宅からでるゴミの投入に際しても，身体障害者が車椅子から容易に直接投入できるような設備が要求されるようになった。
したがって，バリアフリーへの機能性として，大きさや重さや平坦さや危険性なども必要にきている。とくに無段差（ノンステップ）が重要になっており，高い作業への便益が必要になっている。最近では，無段差のためのゴミ移送機をゴミ貯留機へ付設している。
このためにバリアフリーの機能として，独立した機能を付設したゴミ移送機が複雑によけいになることもある。
便益性は良くなったが，ゴミ投入機の機械装置に対する，設備費や電気費やサービス費等の利益性が問題になっている。したがってゴミ投入機は便益性と利益性の機能を比較し，費用対効果の経済性を発明の特徴として，経済性を少なくする方法を課題とした。
課題についての条件をつぎに示した。
（イ）投入口の条件として、回転筒の前内部に投入口地上高（約１ｍ以下）の投入口を含むこと。
（ロ）排出口の条件として、回転筒の後内部に排出口地上高（約１．２ｍ以上）の排出口を含むこと。
（ハ）回転中心に排出口を設けず、回転中心より高い位置に排出口を可能にすること。
【課題を解決するための手段】
【０００４】  解決するための手段として、三つの手段を設けた。
（ａ）回転筒の前内部に投入口を含み、回転筒の後内部にの排出口を含み、投入口の下部と排出口の上部の間に回転筒の外径の中に設ける。
（ｂ）回転筒中心へ排出口を設けず、回転筒中心の上部へ高い位置に排出口を設ける。
（ｃ）回転筒の後部の下部に、貯留されたゴミを螺旋羽根の回転によって、後固定筒の円周にそってゴミを上部へ移送し、後傾斜樋によって、ゴミを後方の高い位置の排出口へ移送する。
すなわち；
（イ）横置き円筒状の回転筒の内面に螺旋状羽根を設ける。回転筒の前部に接した前固定台に投入口及び投入口蓋を設ける。回転筒の後部に接した後固定台に排出口及び排出口蓋を設ける。
（ロ）前固定台の後部に固定した前固定筒を回転筒の内部に挿入し、前固定筒に後端壁を設ける。螺旋状羽根の内面に接して前固定筒を設ける。
前固定筒の内側前部に投入口を設ける。前固定筒の内側下部に切欠いた下部開口部を設ける。投入口より下部開口部へ降下し連通する前傾斜樋を設ける。
（ハ）後固定台の前部に固定した後固定筒を回転筒の内部に挿入し、後固定筒に前端壁を設ける。螺旋状羽根の内面に接して後固定筒を設ける。
後固定筒の内側後部に排出口を設ける。後固定筒の内側上部に切欠いた上部開口部を設ける。上部開口部より排出口へ降下し連通する後傾斜樋を設ける。
【発明の効果】
【０００５】  発明の効果は、回転筒と後固定筒の間に生じる。後固定筒の円周面と螺旋羽根によってゴミは上部へ移送し、後固定筒の上部から後傾斜樋によって後部へ移送する。ゴミを上部から後部へ移動することによって、回転筒の中心より上部へ、ゴミを移送する効果を生ずることができる。
投入口地上高約１．０ｍより低い位置に回転筒の下部を設け、排出口地上高約１．２ｍより高い位置に回転筒の上部を設けるので、回転筒の外径の大きさは１．８〜２．０ｍほどの大きさにになれば十分になる。
収集車の容量によって車高は異なっても、回転筒の十分な大きさによって、排出口を回転中心より上部の高い位置へ設けることができる。
したがって、発明の効果により、収集車の高さに対しても投入口を低く設定できるので、ゴミによる直接地上投入が自由になり便益は大きくなる。
また、架台、ゴミ投入用階段、ステップ等の構造設備や、無段差のための投入機なども無用になるので、コスト削減は大きくなり、顧客にとっても利益は大きくなる。
【発明を実施するための最良の形態】
【０００６】  以下、本発明の実施の形態について実施例の構造を説明する。
図１は本発明の実施例の前面である正面図、図２は側面断面図（図１の矢視断面Ａ−Ａ）、図３は側面断面図（図１の矢視断面Ｂ−Ｂ）、図４は正面断面図（図２の矢視断面Ｃ−Ｃ）、図５は裏面断面図（図２の矢視断面Ｄ−Ｄ）を示す。図中の黒矢印はゴミの移送方向、白矢印は機械の運動方向、Ｒは右回転を示す。
横置き円筒状の回転筒（１）の内面に螺旋状羽根（２）を設ける。回転筒（１）の前部に接した前固定台（３）に投入口（４）及び投入口蓋（５）を設ける。回転筒（１）の後部に接した後固定台（６）に排出口（７）及び排出口蓋（８）を設ける。
回転筒（１）と前固定台（３）及び後固定台（６）の間に弾力性のある摺動用シール材等の前密封材（１７）及び後密封材（１８）を設ける。前固定台（３）及び後固定台（６）を基礎台（１９）の上に固定する。回転軸方向に直角に２個ずつ並置した前軸受台（２０）及び後軸受台（２１）を基礎台（１９）の上に固定し、回転筒（１）を支持し回転する。
回転筒（１）の外周に大スプロケット（２２）を設け、駆動用モータ（２３）に取付けた小スプロケット（２４）とチェーン（２５）を連結する。
前固定台（３）の後部に固定した前固定筒（９）を回転筒（１）の内部に挿入し、前固定筒（９）に後端壁（１０）を設け、螺旋状羽根（２）の内面に接して前固定筒（９）を設ける。
前固定筒（９）の内側前部に投入口（４）を設け、前固定筒（９）の内側下部に切欠いた下部開口部（１１）を設け、投入口（４）より下部開口部（１１）へ降下し連通する前傾斜樋（１２）を設ける。
後固定台（６）の前部に固定した後固定筒（１３）を回転筒（１）の内部に挿入し、後固定筒（１３）に前端壁（１４）を設け、螺旋状羽根（２）の内面に接して後固定筒（１３）を設ける。
後固定筒（１３）の内側後部に排出口（７）を設け、後固定筒（１３）の内側上部に切欠いた上部開口部（１５）を設け、上部開口部（１５）より排出口（７）へ降下し連通する後傾斜樋（１６）を設ける。【０００７】  以下、本発明の実施例の螺旋状羽根について説明する。
図２の側面断面図（図１の矢視断面Ａ−Ａ）は回転筒（１）の左側の断面を示している。
実施例として、回転筒（１）を右回転にする。図１のゴミの状況によって、回転筒の中のゴミは転動しながら左上から右下の傾斜面Ｍになる．
螺旋状羽根（２）は帯状厚板をメスねじの左巻羽根になっており、回転筒の円周に４条の螺旋状羽根（２）を設けている。螺旋状羽根（２）を右回転にし、ゴミを後方へ送り方向にし移送する。
図２の回転中心の上部にある螺旋状羽根（２）ａｂは根元部ａ１から先端部ｂ１までへ法線方向への羽根高さ（２８）にあり、根元部ａ１〜ａ２〜ａ３から先端部ｂ１〜ｂ２〜ｂ３までのつるまき羽根長さ（２９）を示す。
螺旋状羽根（２）の帯状厚板はメスねじの３／４ピッチの長さで示す。  図１の点線にも回転中心の上部にある螺旋状羽根（２）の位置を示す。
図２（矢視断面図Ａ−Ａ）に示す回転筒（１）の左半分内面の前方に、螺旋状羽根（２）ｃｄの前上部ｃ１ｄ１から後下部ｃ２ｄ２の方向に設ける。
回転筒（１）を右へ回転し、回転筒（１）の左側内面を上部へ移動する。すると、螺旋状羽根（２）ｃｄの上面からゴミを前上部ｃ１ｄ１から後下部ｃ２ｄの方向へ移動し、螺旋状羽根（２）ｃｄによって回転筒（１）の左側後方へゴミを貯留する。
したがって、４条の螺旋状羽根（２）をｃｄ、ｇｈ、ｆｅ，ａｂの順にゴミを掬い、回転筒（１）の左側半分の内面にゴミを後方へ移送する。
図３（矢視断面図Ｂ−Ｂ）に示す回転筒（１）の右半分内面の前方に、螺旋状羽根（２）ｅｆを前下部ｅ１ｆ１から後上部ｅ２ｆ２の方向に設ける。
回転筒（１）を右へ回転し、回転筒（１）の右側内面を下部へ移動する。すると、螺旋状羽根（２）ｅｆの下面からゴミを前下部ｅ１ｆ１から後上部ｅ２ｆ２の方向へ押付けるが前方へ移動しない。
また、ゴミの転動によって左上から右下の傾斜面Ｍになり、ゴミは右前側に少なくなるので、ゴミを前方へ移動しこぼすことはない。
したがって、４条の螺旋状羽根（２）によって回転筒（１）の右側半分の内面にゴミを前方へ移送せず、後方へゴミを貯留する。【０００８】  以上のような構成を使用するときは次のようにする。
（イ）ゴミを投入する場合は次のように使用する。
まず駆動用モータ（２３）によって、小スプロケット（２４）、大スプロケット（２２）及びチェーン（２５）を介して、回転筒（１）を右回転へ駆動する。次に排出口蓋（８）を閉鎖し、投入口蓋（５）を開き、投入口（４）へゴミを投入する。投入口（４）より前傾斜樋（１２）へ通って前固定筒（９）の中へゴミを投入する。前固定筒（９）の下部開口部（１１）の他は密閉されている。
前固定筒（９）の下部開口部（１１）より螺旋状羽根（２）の上にゴミを降下する。螺旋状羽根（２）を右回転しながら、螺旋状羽根（２）と前固定筒（９）の円周外面の間に接して、隙間（３０）を設ける。隙間（３０）にゴミを挟みながら、螺旋状羽根（２）に沿って左側内面の上部へ移動し、ゴミを上部から後方へ移送し貯留する。
前固定筒（９）の後部を削除して前傾斜壁（２６）を構成し、上部へ移動するゴミを前固定筒（９）の右側前部へ移動しないようにする。
また、ゴミの転動の傾斜面Ｍによってゴミは右前側に少なくなるので、ゴミを前方へ移動しこぼすことはない。
したがって、前固定筒（９）の後端壁（１０）の後方へゴミを貯留し、後固定筒（１３）の前端壁（１４）へ貯留する。
螺旋状羽根（２）を右回転しながら、螺旋状羽根（２）と後固定筒（１３）の円周外面の間に接して、隙間（３０）を設ける。隙間（３０）にゴミを挟みながら、螺旋状羽根（２）に沿って左側内面の上部へ移動し、ゴミを上部から後方へ移送する。
ついで後固定筒（１３）の上部開口部（１５）へゴミを押上げ、後傾斜樋（１６）の上部より傾斜してゴミを滑動する。後傾斜樋（１６）と閉鎖された排出口蓋（８）の間にゴミを溜める。排出口蓋（８）の部分にゴミが満量になると、後固定筒（１３）の上部より下部へ降下し貯留する。
（ロ）ゴミを排出する場合は次のように使用する。
同じように駆動用モータ（２３）によって始動し、回転筒（１）を右回転へ駆動する。
後傾斜樋（１６）と閉鎖された排出口蓋（８）の間にゴミを溜めて満量になっているので、排出口蓋（８）を開くと、ゴミを排出口（７）より排出する。後傾斜樋（１６）の満量からゴミを排出すると、続いて後固定筒（１３）の上部開口部（１５）よりゴミを押上げ、後傾斜樋（１６）の上部より傾斜してゴミを滑動し、排出口（７）より排出する。
排出する場合も、回転は常に右回転にしている。螺旋状羽根（２）を右回転しながら、回転筒（１）の内に貯留されたゴミを後方へ移送し、後固定筒（１３）と螺旋状羽根（２）の溝の間にゴミを挿入する。また、螺旋状羽根（２）と後固定筒（１３）の円周外面の間に接して、隙間（３０）を設けてゴミを挟みながら、螺旋状羽根（２）に沿って左側内面の上部へ移動し、ゴミを上部開口部（１５）へ押出し後方へ移送する。
【実施例１】
【０００９】  本発明の実施の形態について別の螺旋状Ｌ型羽根（２７）の実施例を説明する。
図６は正面断面図の螺旋状Ｌ型羽根の概要図、図７は裏面断面図の螺旋状Ｌ型羽根の概要図を示す。
螺旋状羽根（２）と後固定筒（１３）の円周外面の間に接して、隙間（３０）を設けるが、固形ゴミの場合は、ゴミを隙間（３０）に挟みながら、ゴミを上部から後方へ移送する。しかし、顆粒粉体のゴミの場合は、隙間（３０）が粗くゴミを通すので、ゴミを上部へ移送することができない。したがって、螺旋状Ｌ型羽根（２７）の形状を実施する。
螺旋状Ｌ型羽根（３１）はＬ型帯状厚板をメスねじの左巻羽根になっており、回転筒の円周に４条の螺旋状Ｌ型羽根（３１）を設けている。螺旋状Ｌ型羽根（３１）を右回転にし、ゴミを後方へ送り方向にし移送する。
図６の回転中心の上部にある螺旋状Ｌ型羽根（３１）ｊｋｎは根元部ｊからＬ部ｋ，先端部ｎまでへ法線方向への羽根高さになっている。螺旋状Ｌ型羽根（３１）ｊｋｎは根元部ｊ１〜ｊ４から先端部ｎ１〜ｎ４までの３／４ピッチのつるまき羽根長さを示す。
前固定筒（９）の下部開口部（１１）より螺旋状Ｌ型羽根（３１）の上にゴミを降下する。螺旋状Ｌ型羽根（３１）を右回転しながら、螺旋状Ｌ型羽根（３１）と前固定筒（９）の円周外面の間に接して、隙間（３０）を設ける。隙間（３０）に固形ゴミを挟む場合には、螺旋状Ｌ型羽根（３１）に沿って左側内面の上部へ移動し、ゴミを上部から後方へ移送し貯留する。
また、螺旋状Ｌ型羽根（３１）ｊｋｎの根元部ｊからＬ部ｋの羽根高さの間に溝の形状をしているので、羽根高さが水平になっても顆粒粉体のゴミをこぼすことはない。
図７の場合でも、螺旋状Ｌ型羽根（３１）を右回転する。螺旋状Ｌ型羽根（３１）と後固定筒（１３）の円周外面の間に接して、隙間（３０）を設ける場合には、隙間（３０）にゴミを挟んだり、螺旋状Ｌ型羽根（３１）の溝の形状に顆粒粉体のゴミを掬ったりして、左側内面の上部へ移動し、ゴミを上部から後方へ移送する。
【図面の簡単な説明】
【００１０】
【図１】は本発明の実施例の前面である正面図を示す。
【図２】は本発明の実施例の側面断面図（図１の矢視断面Ａ−Ａ）を示す。
【図３】は本発明の実施例の側面断面図（図１の矢視断面Ｂ−Ｂ）を示す。
【図４】は本発明の実施例の正面断面図（図２の矢視断面Ｃ−Ｃ）を示す。
【図５】は本発明の実施例の裏面断面図（図２の矢視断面Ｄ−Ｄ）を示す。
【図６】は本発明の別の実施例について正面断面図の螺旋状Ｌ型羽根の概要図を示す。
【図７】は本発明の別の実施例について裏面断面図の螺旋状Ｌ型羽根の概要図を示す。
【符号の説明】
【００１１】  １      回転筒
２      螺旋状羽根
３      前固定台
４      投入口
５      投入口蓋
６      後固定台
７      排出口
８      排出口蓋
９      前固定筒
１０      後端壁
１１      下部開口部
１２      前傾斜樋
１３      後固定筒
１４      前端壁
１５      上部開口部
１６      後傾斜樋
【図１】
2005200209.tif 000003
【図２】
2005200209.tif 000004
【図３】
2005200209.tif 000005
【図４】
2005200209.tif 000006
【図５】
2005200209.tif 000007
【図６】
2005200209.tif 000008
【図７】
2005200209.tif 000009